(57)【要約】【課題】電気製品の電源用差込プラグの挿入を容易にするとともに、重大な災害をもたらすトラッキング現象の発生を防止することができる埋込コンセントを提供することを目的とする。【解決手段】壁面とか柱等に固定された埋込コンセント１１であって、該埋込コンセント１１のコンセント部１３に、差込プラグ４側の雄金具を受け入れる差込口１４，１４を、水平線と平行な方向に配設した埋込コンセント１１を基本構成としている。具体的には壁面とか柱等に固定されたコンセント部１３に、上下一対の差込口１４，１４を水平線と平行な方向に配設してある。【選択図】　　図５
2004014415.tif 000002
【特許請求の範囲】
【請求項１】
壁面とか柱等に固定された埋込コンセントであって、該埋込コンセントのコンセント部に、差込プラグ側の雄金具を受け入れる差込口を、水平線と平行な方向に配設したことを特徴とする埋込コンセント。
【請求項２】
壁面とか柱等に固定された埋込コンセントであって、該埋込コンセントのコンセント部に、上下一対の差込口を水平線と平行な方向に配設したことを特徴とする埋込コンセント。
【発明の詳細な説明】
【０００１】
【発明の属する技術分野】
本発明は埋込コンセントに関し、特には各種電気製品の電源用差込プラグの挿入を容易にするとともにトラッキング現象を防止するため、差込プラグから突出する一対の雄金具を挿入する一対の挿入口を水平線に対して平行に配置した埋込コンセントに関するものである。
【０００２】
【従来の技術】
一般家庭及びオフィスにある多種類の電気製品に電力を供給するために、電気コードの先端に装備された差込プラグを電源用コンセントに挿入する手段が一般的に行われている。電源用コンセントとしては、壁面とか柱等に装備された埋込コンセントの外、電源コードの一方に差込プラグが配備され、他方にコンセント部が連結されたテーブルタップ型コンセントが用いられている。
【０００３】
図７は従来から一般に採用されている埋込コンセントに差込プラグを挿入した具体例を示している。即ち、壁面内部に固定された公知のボックス部材及び該ボックス部材に装着されたサポーターにコンセント部２が装備されており、該コンセント部２には左右一対の差込口３，３が上下方向，即ち鉛直線と平行な方向に配設されている。１は壁面内部のボックス部材に装着されて壁面等に露出しているプレートである。４は図外の電気製品から導出された電気コード５の端部に連結された差込プラグであって、該差込プラグ４から突出する一対の雄金具を差込口３，３内に挿入することによって電気製品へ電源電力が供給される。尚、電気製品として、例えば冷蔵庫のように常時差込プラグ４を差込口３，３に挿入したまま使用するタイプと、電気アイロンのように使用時にのみ差込プラグ４を差込口３，３に挿入して、使用後は差込プラグ４を抜去するタイプとがある。
【０００４】
【発明が解決しようとする課題】
前記したように、従来の埋込コンセントは差込口３，３が鉛直線と平行な方向に配設されているため、挿入された一対の雄金具が左右方向へ弛む現象は生じにくいものの、上下方向への弛みが発生しやすいという課題がある。従って差込プラグ４の雄金具を差込口３，３に挿入したまま使用するタイプの電気製品では、長期間に亘る使用中に差込プラグ４が図７の矢印Ａに示したように下方側に傾動して、差込プラグ４の上方部分とコンセント部２との間に隙間が発生し易くなり、矢印Ｂに示したように、上記隙間に塵埃とか湿気が侵入して貯留されることにより動作不良を起こすという問題の外、重大な災害をもたらすトラッキング現象が発生する虞がある。
【０００５】
トラッキング現象とは、差込プラグ４とコンセント部２との間に堆積された塵埃や湿気によって差込プラグ４から突出する一対の雄金具間に微電流が流れ、発生する熱と火花放電によって差込プラグの塩化ビニール部分に徐々に炭化導電路が形成され、この炭化が進行することによってやがては発火に至る現象を指しており、日本全国でトラッキング現象に起因する火災が年間で数十件も発生することが報告されている。
【０００６】
トラッキング現象を防止するために、差込プラグの根元にキャップを被せたりユリア樹脂等で二重モールド構造にした製品も提供されているが、何れも構成が煩雑になるとともに余分な部品代がかかり、製造コストが高くなってしまうという問題がある。
【０００７】
そこで本発明は上記の問題点を解決して、各種電気製品の電源用差込プラグの挿入を容易にするとともに重大な災害をもたらすトラッキング現象の発生を防止することができる埋込コンセントを提供することを目的とするものである。
【０００８】
【課題を解決するための手段】
本発明は上記目的を達成するために、壁面とか柱等に固定された埋込コンセントであって、該埋込コンセントのコンセント部に、差込プラグ側の雄金具を受け入れる差込口を、水平線と平行な方向に配設した埋込コンセントを基本構成としている。具体的には壁面とか柱等に固定された埋込コンセントであって、該埋込コンセントのコンセント部に、上下一対の差込口を水平線と平行な方向に配設してある。
【０００９】
かかる埋込コンセントによれば、差込プラグの一対の雄金具を差込口内に挿入したまま長期に亘って使用しても該雄金具の上下方向への弛みが生じないので、差込プラグの傾動による隙間が発生せず、塵埃とか湿気が侵入して貯留されることにより動作不良を起こす虞は生じない。仮に雄金具の左右方向への弛みに起因して生じた隙間に塵埃とか湿気が侵入しても、塵埃等は上方に位置する雄金具の上面にのみ貯留されて下方に位置する雄金具には貯留されないため、塵埃と湿気によって一対の雄金具間に微電流が流れたり火花放電が発生するトラッキング現象を引き起こす虞は生じない。
【００１０】
【発明の実施の形態】
以下図面に基づいて本発明にかかる埋込コンセントの具体的な実施形態を説明する。本発明は壁面とか柱等に固定された埋込コンセントであって、該埋込コンセントのコンセント部に、差込プラグ側の雄金具を受け入れる差込口を、水平線と平行な方向に配設したことを基本構成としている。
【００１１】
図１は本発明を適用した埋込コンセント１１を示す正面図、図２は同側面図、図３は同要部側断面図、図４は同裏面図であって、図中の１２は壁面内部に装備した公知のボックス部材（図示略）を介して固定されたサポーター、１３はサポーター１２に締付具１３ａにより嵌合固定されたコンセント部であり、該コンセント部１３には、上下一対の差込口１４，１４が水平方向，即ち水平線と平行な方向に配設されている。図３に示したように差込口１４，１４の裏面側に位置するコンセント部１３には、差込プラグ側から突出する一対の雄金具を受け入れる雌金具１５，１５が配備されており、サポーター１２に開口された孔部１２ａを利用して図外の締付具によって壁面に固定されている。なお、壁面の内部ではなく、壁面の外部や柱等に露出した状態としてコンセント部１３を固定するものであってもよく、本発明にかかる埋込コンセントは壁面や床面或いは柱その他の部材に固定されたコンセントを含む概念である。
【００１２】
かかる埋込コンセントによれば、図５に示したように図外の電気製品から導出された電気コード５の端部に連結された差込プラグ４から突出する一対の雄金具を差込口１４，１４内に挿入した際に、長期に亘る使用中に挿入された一対の雄金具が左右方向へ弛む現象は生じても上下方向への弛みが発生しないという特徴を発揮する。従って差込プラグ４の雄金具を差込口１４，１４に挿入したまま使用するタイプの電気製品の場合、使用中に差込プラグ４が下方に傾動することによる隙間がほとんど発生せず、塵埃とか湿気が侵入して貯留されることにより動作不良を起こす虞は生じない。なお、図５において１６はボックス部材（図示略）に装着されて壁面等に露出しているプレートである。
【００１３】
また、仮に雄金具の左右方向への弛みに起因して生じた隙間に塵埃とか湿気が侵入したケースを想定しても、塵埃は上方に位置する雄金具の上面にのみ貯留されて、下方に位置する雄金具には貯留されないため、塵埃と湿気によって一対の雄金具間に微電流が流れたり火花放電が発生するトラッキング現象を引き起こす問題はなくなり、重大な災害をもたらす虞は生じないという大きな特長を発揮する。
【００１４】
図６は本発明の他の実施形態を示しており、差込プラグ４に連結された電気コード５が埋込コンセント１１の差込口１４，１４への挿入方向に対して垂直方向に伸びる通常スナップキャップ型と呼称される差込プラグを用いた場合を示している。従来の埋込コンセント（図７参照）では上記スナップキャップ型差込プラグを上下二組の差込口３，３に対して同方向に挿入することができないため、何れか一方の差込プラグ４の挿入方向を反転して電気コード５の導出方向を逆にしなければならないが、本発明の埋込コンセント１１はこのようなスナップキャップ型の差込プラグ４を差込口１４，１４に対して同方向に差し込むことが可能であり、差込プラグ４の形状にかかわらず差込口１４，１４への挿入が容易であって電気製品の使い勝手を高めることができる。
【００１５】
【発明の効果】
以上詳細に説明したように、本発明にかかる埋込コンセントによれば、差込プラグの雄金具を差込口内に挿入したまま長期に亘って使用した際に、雄金具の上下方向への弛みが生じないので、この雄金具上に塵埃等が侵入することを防止して動作不良とか重大な災害をもたらすトラッキング現象を引き起こす虞をなくすことができる。仮に雄金具の左右方向への弛みに起因して生じた隙間に塵埃等が侵入しても、この塵埃等は上方に位置する雄金具の上面に貯留されるものの下方に位置する雄金具上には貯留されないため、一対の雄金具間に微電流が流れたり火花放電が発生する現象は生じない。
【００１６】
また、トラッキング現象を防止するために、従来例のように差込プラグの根元にキャップを被せたり二重モールド構造にする必要もなく、構成簡易にして余分な部品代はかからないので、製造コストが高騰となる虞は生じない。
【００１７】
従って本発明によれば、差込プラグを差込口に挿入したまま使用するタイプの電気製品における電源用差込プラグの挿入を容易にするとともに、長期間の使用によってもトラッキング現象の発生を効果的に防止することができる埋込コンセントを提供することができる。
【図面の簡単な説明】
【図１】本発明を適用した埋込コンセントを示す正面図。
【図２】図１の側面図。
【図３】図１の要部側断面図。
【図４】図１の裏面図。
【図５】本発明にかかる埋込コンセントの実施形態を示す斜視図。
【図６】本発明の他の実施形態を示す正面図。
【図７】従来の埋込コンセントの使用例を示す斜視図。
【符号の説明】
１１…埋込コンセント
１２…サポーター
１３…コンセント部
１４…差込口
１５…雌金具
１６…プレート
整理番号　Ｐ３４４５
【図１】
2004014415.tif 000003
【図２】
2004014415.tif 000004
【図３】
2004014415.tif 000005
【図４】
2004014415.tif 000006
【図５】
2004014415.tif 000007
【図６】
2004014415.tif 000008
【図７】
2004014415.tif 000009